(57)【要約】広げて伸長した焦点範囲でイメージ品質を高めるためのシステム及び方法により、視力処置技術と、コンタクトレンズや眼球内レンズ（ＩＯＬ）等の眼用レンズとを含む。例としてのＩＯＬの眼は、回折又は位相シフトプロファイルとして機能する有限隣接エシュレット格子（２３０）を備えた環状表面構造（２１０）を含むことができる。
2013514833.tif 000002
【特許請求の範囲】
【請求項１】
光軸上に設けた前面及び背面と、
前記前面又は前記背面に設けた、少なくとも１つの回折プロファイルと、
を備え、
前記少なくとも一方の回折プロファイルは、内方エシュレット格子からなり、１と４の周辺エシュレット格子の間に配置されている眼用レンズ。
【請求項２】
前記少なくとも２つのエシュレット格子は、互いに隣接していない請求項１に記載の眼用レンズ。
【請求項３】
前記互いに隣接していない、少なくとも２つのエシュレット格子は、屈折領域によって分離されている請求項２に記載の眼用レンズ。
【請求項４】
前記少なくとも２つのエシュレット格子は、屈折領域によって分離されていない請求項２に記載の眼用レンズ。
【請求項５】
前記内方エシュレット格子と周辺エシュレット格子は、屈曲領域によって分離されていない請求項１に記載の眼用レンズ。
【請求項６】
前記エシュレット格子は、１ｍｍ２と７ｍｍ２の間の表面積を特徴とする請求項１に記載の眼用レンズ。
【請求項７】
前記エシュレット格子は、同一表面積を有する請求項１に記載の眼用レンズ。
【請求項８】
前記内方エシュレット格子は、約１ｍｍから約５ｍｍの範囲内の直径を有する請求項５に記載の眼用レンズ。
【請求項９】
前記レンズは、さらに、球面曲線又は非球面曲線を特徴とする周辺部を備える請求項１に記載の眼用レンズ。
【請求項１０】
前記エシュレット格子は、さらに、約０．５μｍから約４μｍの範囲内の値を有するステップ高さを特徴とする遷移部を備える請求項１に記載の眼用レンズ。
【請求項１１】
前記ステップ高さは、デザイン波長の約０．２５から約３倍の間の位相シフトを提供する請求項９に記載の眼用レンズ。
【請求項１２】
前記少なくとも２つのエシュレット格子のステップ高さは相違している請求項１０に記載の眼用レンズ。
【請求項１３】
前記少なくとも２つのエシュレット格子の表面積は相違している請求項１０に記載の眼用レンズ。
【請求項１４】
内方エシュレット格子のサイズを決定する測定に基づいて、レンズの表面に設けた１と４の周辺エシュレット格子の間で、瞳孔サイズの測定を利用する眼用レンズをデザインする方法。
【請求項１５】
前記測定は、１グループの患者の瞳孔サイズに基づいている請求項１４に記載の方法。
【発明の詳細な説明】
【技術分野】
【０００１】
本出願の特許請求の範囲は、２００９年１２月１８日に出願された分割出願番号61/288,255に対して米国特許第１１９条（ｅ）の規定より優先権を主張し、参照文献として明細書に組み込まれた全ての内容を含む。本出願は、ここで一緒に出願された後述する出願、すなわち、有限エシュレットレンズ、システム及び方法、米国特許出願番号      、角度が位相遅延を変化させる眼用レンズ、システム及び方法、米国特許出願番号      、及び、少なくとも１つの回転非対称回折構造を有する眼用レンズ、システム及び方法、米国特許出願番号      に関係する。また、これら３出願の全内容は参考として明細書に組み込まれている。また、本願は、２００８年４月２４日に出願された米国特許出願番号61/047,699及び12/109,251と、２００９年４月２３日に出願された米国特許出願番号12/429,155と、２００９年２月１７日に出願された米国特許出願番号12/372,573と、２００８年８月２３日に出願された米国特許出願番号12/197,249と、２００８年４月１３日に出願された米国特許出願番号12/120,201と、２０１０年４月３０日に出願された米国特許出願番号12/771,550とに関係している。全てパリ優先権主張の基礎とされている。
【０００２】
本発明の実施形態は、視力処置技術に関し、特に、例えば、コンタクトレンズ、角膜インレー又はアンレー、有水晶の人工水晶体や、ピギーバック人工水晶体（人工水晶体を有する眼に移植された人工水晶体）を含む人工水晶体等の眼用レンズに関する。
【背景技術】
【０００３】
老眼とは、眼の調節特性に影響を及ぼす健康状態のことである。物体が、若くて正確に機能する眼に接近するとき、毛様体筋の収縮と毛様小ゾーンの弛緩の効果により、眼の水晶体は形状を変化させ、その結果、その視力と近距離での焦点能力を得ることができる。この調整機能により眼は近くと遠くの物体に焦点を合わすことができるのである。
【０００４】
一般に、老眼は人の年齢に応じて進むもので、自然の連続的な調整機能の喪失に関係している。老眼は、距離が変化する物体に迅速かつ容易に焦点を合わせる能力を喪失させる。通常、老眼の影響は、４５歳後に顕著になる。６５歳までに、水晶レンズは、殆ど全ての弾性特性を喪失し、限定的に形状を変化させる能力のみが残る。
【０００５】
また、歳を取ることにより、眼の調整機能が衰えると共に、白内障が原因で水晶体が曇る。白内障は、水晶体の硬質な中心核、水晶体のより柔らかい周辺皮質部、あるいは、水晶体の後部で発生する。白内障では、曇った水晶体を人工水晶体に置き換える手術を行うことができる。眼の水晶体を、眼内レンズすなわち「ＩＯＬ」と言われる人工水晶体に置き換えている。
【０００６】
単焦点ＩＯＬは、単一の距離のみ、通常、遠方焦点に視覚を調節する傾向がある。移植にとって最も適切なＩＯＬの倍率を正確に予測するには限界があり、不適切なＩＯＬの倍率は、手術後に、患者に屈折異常の後遺症を残す可能性がある。したがって、ＩＯＬ移植を受けた患者は、好ましい遠方の視覚を得るために眼鏡を掛けることが必要となる恐れがある。控えめに言っても、単焦点ＩＯＬは、単一距離のみでの視力の治療を行い、かつ、代表的な矯正は遠方距離用であるため、通常、好ましい近距離視力、及び、時には中距離視力に必要とされる。一般に、用語「近距離視力」は、患者の眼から約１〜２フィートの距離もあり、物体が眼の網膜にほぼ焦点があっているときの視力に対応している。一般に、用語「遠距離視力」は、少なくとも約６フィート異常の距離の物体がほぼ眼の網膜に焦点があっているときの視力に対応している。用語「中距離視力」は、患者の眼から約２〜５フィートの距離にある物体がほぼ眼の網膜に焦点があっているときの視力に対応している。
【０００７】
単焦点ＩＯＬについての限界に取り組むための種々の試みがなされている。例えば、多焦点ＩＯＬは、原則として、２つの焦点、一方が近距離で、他方が遠距離であって、適宜、ある程度の中距離焦点を備えたものを提供する。そのような多焦点ＩＯＬ又は二焦点ＩＯＬは、２つの距離で良好な視力を提供することになり、屈折及び回折多焦点ＩＯＬを含む。幾つかの例では、２つの距離に視力を矯正するようにした多焦点ＩＯＬは、約３．０又は約４．０ジオプターの近距離レンズ倍率を提供する。
【０００８】
例えば、多焦点ＩＯＬは、異なる焦点距離に光エネルギーを向けるために回折光学面に頼っている。このため、患者は近くと遠くの物体の両方をはっきりと見ることができる。また、多焦点レンズ（コンタクトレンズ等を含む）は、水晶レンズを除去することなく、老眼の治療を行うようにしてきた。また、単焦点又は多焦点のいずれかの回折光学面は、色覚異常を抑えるように設計されている。
【０００９】
回折単焦点又は他焦点レンズは、屈折の倍率を付与する所定の屈折率と湾曲面を有する材料を使用することができる。回折レンズは、レンズの全ての光学的な倍率に寄与する回折倍率をレンズに与える回折プロファイルを有する。一般に、回折プロファイルは多数の回折ゾーンを特徴とする。眼のレンズ用に使用されるとき、これらのゾーンは通常環状レンズゾーンすなわちレンズの光軸周りに配置されたエシュレット格子である。各エシュレット格子は、光学ゾーン、この光学ゾーンと隣接するエシュレット格子の光学ゾーンとの間の遷移ゾーン、及び、エシュレット幾何学構造とで構成されている。エシュレット幾何学構造は、内径、外径、光学ゾーンの形状すなわち傾斜、高さすなわちステップ高さ、及び、遷移ゾーンの形状を含む。エシュレット格子の外表面すなわち直径は、主に、レンズの回折倍率を決定し、エシュレット格子間の遷移部のステップ高さは、主に、異なる付加倍率間の配光を決定する。また、これらエシュレット格子は回折プロファイルを構成する。
【００１０】
レンズの多焦点回折プロファイルは、２以上の光学倍率、例えば、１つが近傍視力用であり、１つが遠方視力用であるような光学倍率を提供することにより老眼を軽減するのに使用してもよい。また、レンズは、本来のレンズを置き換えたり、あるいは、元の水晶体の前方に配置したりする眼の水晶体嚢内に配置される眼球内レンズの形態を取る。また、レンズは、コンタクトレンズ、最も一般的なニ焦点コンタクトレンズの形態、あるいは、明細書に記載される他の形態としてもよい。
【００１１】
多焦点眼鏡用レンズは、多くの患者のために視覚品質を改良されてはいるが、追加の改良が必要である。例えば、ある偽水晶体患者は望まない視認努力（光が変に見える現象（dysphotopsia））、例えば、眩しさや光輪を経験する。光輪は、使用されていない焦点イメージからの光が使用されている焦点イメージに重なる焦点はずれイメージを生成する際に発生する。例えば、遠望光源からの光がニ焦点ＩＯＬの遠方焦点によって網膜に映し出されていれば、ＩＯＬの近傍焦点は、遠方焦点によって形成されたイメージ上に焦点ぼけしたイメージを同時に重ねる。この焦点ぼけイメージは、焦点のあったイメージ周囲の光のリングすなわち光輪としてそれ自体明確となる。改良品の他の領域は、多焦点レンズの一般的な２焦点の周囲を回転する。一般に、多焦点眼鏡レンズは近傍及び遠方視力のために提供されるので、中間視力は妥協している。
【００１２】
したがって、焦点深さが伸びたレンズは、広い距離範囲で良好の視界を患者に提供する一方、白内障を抑制又はなくす。ＩＯＬの焦点深さを伸ばすための種々の技術が提案されている。例えば、あるアプローチは、半球レンズ屈折原理に基いており、僅かに増大する倍率の中心ゾーンを備えている。他の技術は、半球、又は、異なる屈折ゾーン倍率を備えた屈折ゾーンを備える。
【００１３】
ある提案された手術は確かに患者にとってあるメリットがあるものの、さらなる全身が切望されている。例えば、白内障なしに広くて伸長した焦点範囲を超えてイメージ品質を高めるＩＯＬシステムと方法を提供することが切望されている。本発明の実施形態は、上述の問題を処理する解決方法を提供し、その結果、これらの目立ったニーズの少なくとも幾つかに答える。
【発明の概要】
【課題を解決するための手段】
【００１４】
一般に、本発明の実施形態は、改良されたレンズと画像処理技術を提供する。典型的な実施形態は、眼のレンズ（例えば、コンタクトレンズ、角膜インレー又はアウトレイ、あるいは、例えば、水晶体ＩＯＬ及びピギーバックＩＯＬを含む眼球内レンズ（ＩＬ）等）を提供し、それらデザインと使用のための方法に関係する。
【００１５】
本発明の実施形態は、単一円形表面構造を有するＩＯＬ光学を含み、それは位相シフトプロファイルとして機能する。そのプロファイルは、偽水晶体眼の焦点深さを増大させるようにデザインされており、眼の元々ある水晶体が人造レンズに置き換えられる。そのような単一ＩＯＬ技術は、多くの回折リングを有する従来の多焦点ＩＯＬと関係する個別の二焦点を抑制する。この結果、従来の多焦点ＩＯＬに関係する、光が変に見える現象（dysphotopsia、例えば、光輪効果（halo effects））が本発明の実施形態に係るレンズによって軽減される。
【００１６】
典型的な単一リングＩＯＬは、前面及び背面を備える。前面又は背面にはプロファイルを設けることができる。プロファイルは、内方部及び外方部を有することができる。一般に、内方部は放射状の湾曲形状を示す。また、内方部は、微細構造、独立エシュレット格子、又は、中心エシュレット格子と呼ぶこともできる。内方部と外方部の間には、内方部と外方部を連結する遷移部があってもよい。
【００１７】
放射状形状に加えて、中心エシュレット格子は、双曲線、球面、非球面及びシヌソイドを含む種々の形状を取ることができる。エシュレット格子の内方部と外方部の間の遷移部は形状が変化してもよく、スムーズに変化していてもよい。
【００１８】
微細構造の外側の外方部の表面は、球面又は非球面のいずれとすることもできる。外方部の形状は、瞳孔サイズの範囲のために所望の光学性能を有するように適切なものとすることができる。所望の光学性能は、焦点深さ、遠方焦点の光学品質、及び、瞳孔サイズの機能としての最適焦点（又は遠方焦点）の変化等の要素に基づいている。形状が回折単焦点ＩＯＬ又は焦点深さの延びた回折ＩＯＬ又は眼の球面異常を矯正又は改良する回折デザインであれば、最適ルールが適用される。特別なデザインは、中心エシュレット格子と外方ゾーンの間の相互作用がデザインとして、すなわち最適化した状態で組み込まれていることによって達成される。ここに記載した技術は、ＩＯＬ、角膜インレー又はアウトレイ、及び／又は、コンタクトレンズを含む種々の光学レンズに適切である。
【００１９】
一態様では、本発明の実施形態は、患者の眼を手術するための眼用レンズのシステム及び方法を含む。典型的なレンズは、前方回折プロファイルを備えた前面と、背面回折プロファイルを備えた背面とを含んでいてもよい。それら表面は、光軸の周囲に設ければよい。また、レンズは、前方回折プロファイル、後方回折プロファイル、又は、その両方に設けた回折プロファイルを含めてもよい。典型的な実施形態では、回折プロファイルは、１つのエシュレット格子のみを含めればよい。任意で、エシュレット格子はレンズの中心ゾーン内に設けることができる。関連して、エシュレット格子は、レンズの中心回折ゾーンの周りの環状部として配置してもよい。あるケースでは、レンズは、エシュレット格子又は環状リングを囲む周辺ゾーンを備えてもよい。エシュレット格子は、連続する位相シフトを特徴としてもよい。
【００２０】
ある実施形態によれば、眼のレンズは、放射状曲線を特徴とするエシュレット格子を備えてもよい。エシュレット格子は、約1ｍｍから約４ｍｍの範囲内の直径があればよい。例えば、エシュレット格子は、約１．５ｍｍの直径であればよい。あるケースでは、エシュレット格子は、約１．０ｍｍから約５．０ｍｍの範囲内の直径とすることができる。エシュレット格子は、１から７ｍｍ２の表面積とすることができる。好ましくは、エシュレット格子は、１．５から４ｍｍ２の表面積であればよい。例えば、エシュレット格子は２．３ｍｍ２の表面積があればよい。
【００２１】
レンズの実施形態では、球面カーブ又は非球面カーブを特徴とする周辺部を備えていてもよい。あるケースでは、周辺部は屈折していてもよい。レンズは、約４ｍｍから約７ｍｍの範囲内の外径を有する周辺部を備えていてもよい。例えば、レンズは、約５ｍｍの外径を有する周辺部を備えていればよい。
【００２２】
レンズは、約０．５μｍから４ミクロンの範囲内の値を有するステップ高さを特徴とする遷移部を備えていてもよい。ある実施形態によれば、遷移部は、約１．５μｍから２．５μｍの範囲内の値を有するステップ高さを特徴とすることができる。また、ある実施形態では、遷移部は、１．７μｍの値を有するステップ高さを特徴とすることができる。他の実施形態では、ステップ高さは、約２．０ミクロンの値を有していてもよい。
【００２３】
伸長された焦点深さは、焦点範囲を超えた相対的な閾値に基づいていてもよい。例えば、イメージ品質は、白色光回折の制限ＭＴＦ（「ＭＴＦ容量」）での容量割合として、白色光ＭＴＦ曲線での容量によって示すようにしてもよい。あるケースでは、レンズは、２．０ｍｍの瞳孔に対して約−１．２５Ｄから０．２５Ｄの連続範囲で、少なくとも約３５％のＭＴＦ容量を提供することができる。言い換えれば、レンズは、少なくとも約１．５Ｄの連続範囲を超えて少なくとも３５％のＭＴＦ容量を提供することができる。本発明のある実施形態は、少なくとも０．７５Ｄｎｏ連続範囲を超える少なくとも３５％のＭＴＦ容量を提供する。他の実施形態は、約１．０Ｄの連続範囲を超える少なくとも３５％のＭＴＦ容量を提供することができる。実施形態は、少なくとも１．２５Ｄの連続範囲を超える少なくとも３５％のＭＴＦ容量を提供することができるのがより好ましい。あるケースでは、レンズは、少なくとも１．５Ｄの連続範囲を超える少なくとも１５ｍｍ毎に５０サイクルのＭＴＦを提供することができる。ある実施形態は、少なくとも１．０Ｄの連続範囲を超える少なくとも１５ｍｍ毎に５０のＭＴＦを提供する。他のケースでは、レンズは、少なくとも１．８Ｄの範囲を超える少なくとも７ｍｍ毎に１００サイクルのＭＴＦを提供することができる。ある実施形態は、少なくとも１．５Ｄの連続範囲を超える少なくとも７ｍｍ毎に１００サイクルのＭＴＦを提供する。
【００２４】
あるケースでは、回折プロファイルはデザイン波長を特徴とすることができ、レンズはデザイン波長の約０．２５から１倍の位相シフトを生成するステップ高さを特徴とすることができる。あるケースでは、回折プロファイルは、デザイン波長を特徴とすることができ、レンズはデザイン波長の０．１５から２倍の位相シフトを生成するステップ高さを特徴とする遷移部を備えることができる。ある実施形態によれば、レンズは、約０．５の位相シフトを生成するステップ高さを特徴とする遷移部を備えていてもよい。他の実施形態では、レンズは、約０．４のステップ高さを特徴とする遷移部を備えていてもよい。
【００２５】
他の態様では、本発明の実施形態は、単に光学機能を有する底回折面を示す回折主ゾーンと、回折主ゾーンを囲む回折周辺ゾーンとを有する眼のレンズを備えたシステム及び方法を含む。また、眼のレンズは、回折主ゾーンを回折周辺ゾーンに物理的に連結する遷移ゾーンを備えてもよい。遷移ゾーンは、光学的な特徴を提供するのは任意である。
【図面の簡単な説明】
【００２６】
【図１Ａ】多焦点回折眼用レンズを備えた眼の断面図である。
【図１Ｂ】移植された多焦点回折眼用レンズを有する眼の断面図である。
【図２Ａ】回折多焦点眼用レンズの正面図である。
【図２Ｂ】図２Ａのレンズの断面図である。
【図３Ａ】従来の回折多焦点レンズの回折プロファイルの一部のグラフ表示である。
【図３Ｂ】従来の回折多焦点レンズの回折プロファイルの一部のグラフ表示である。
【図４】本発明の実施形態に係るレンズの中心エシュレット格子の態様を示す。
【図４Ａ】本発明の実施形態に係るレンズプロファイルの態様を示す。
【図４Ｂ】本発明の実施形態に係るレンズプロファイルの態様を示す。
【図４Ｃ】本発明の実施形態に係るレンズプロファイルの態様を示す。
【図４Ｄ】本発明の実施形態に係るレンズプロファイルの態様を示す。
【図４Ｅ】本発明の実施形態に係るレンズプロファイルの態様を示す。
【図５】中心エシュレット格子の実施形態に係る計算された非焦点曲線の態様を示す。
【図６】本発明の実施形態に係る計算された非焦点曲線の態様を示す。
【発明を実施するための形態】
【００２７】
本発明の性質及び利点を完全に理解するために、添付図面に従って詳細な説明を参照することができる。
【００２８】
図示するために、ある前述の図面に示すプロファイル幾何学形状は、正確なスケールでは記載していない。図示するプロファイルの高さは、通常、約０．１μｍから８．０μｍの範囲であり、その高さは、患者、レンズ材料及び周囲の媒体の屈折率、及び、所望の望まれる回折オーダーの間の配光等の要因に依存して変化する。
【００２９】
本発明の図面及び説明は本発明を明確に理解するのに適した要素を簡略化して図示したものであり、多くの他の要素が一般の眼用レンズ、移植された眼用器具、システム及び方法に見出される。したがって、当業者であれば、他の要素及び／又はステップが本発明を実施するのに切望され、及び／又は、必要とされていることが分かるであろう。しかしながら、そのような要素及びステップは公知であり、それらは本発明をよりよく理解する助けとはならないため、そのような要素及びステップの議論はここでは記載していない。ここでの記載は、当業者にとって公知の開示された要素及び方法についての全ての変形例や改良例としている。
【００３０】
本発明の実施形態は、画質を改良し、焦点の範囲を広げるシステム及び方法を含む。ここに記載されるシステム及び方法は、例えば、コンタクトレンズ、人工水晶体、眼鏡レンズ、角膜インレー又はアンレー等の種々の眼用レンズを含む。典型的な実施形態は、従来の単焦点レンズと比較して伸長した焦点深さを有し、従来の多焦点眼用レンズと比べて光が変に見える現象（dysphotopsia）を抑制する眼用レンズを含む。あるケースでは、そのような技術は、単一リング又はエシュレット格子を有し、一般に、伸長した焦点深さを含むＩＯＬの手法を備える。そのような手法は、光が変に見える現象（dysphotopsia）なしに、中間距離での良好な視力と同様に、患者に良好な距離の視力を提供できる。
【００３１】
一般に、本発明の実施形態は、改良されたレンズ及び画像システムを提供し、焦点深度を延ばしたレンズが有効である全てのシステム、例えば、携ゾーン電話のカメラや他の関連する装置のほか、監視又は外科手術用に使用されるものを含む、カメラ／ビデオのレンズに組み込むことができる。本発明の実施形態は、改良された眼用装具、システム及び方法として最も早く使用されることが理解できる。本発明の典型的な実施形態では、改良された眼用レンズ（例えば、コンタクトレンズ、眼用レンズ（ＩＯＬ）、角膜移植等を含む）や、それらの設計や仕様のための関連する方法が提供されている。本発明の実施形態には、単焦点回折又は屈折レンズ、２焦点回折又は屈折レンズ、及び、多焦点回折又は屈折レンズを使用することができる。例えば、本発明の実施形態には、多焦点ＩＯＬの反対面に、例えば、ＴＥＣＮＩＣＳ（登録商標）の多焦点、ＲＥＺＯＯＭ（登録商標）、又は、ＲＥＳＴＯＲ（登録商標）のＩＯＬを追加してもよい。言い換えれば、伸ばされた焦点深さの特性は、例えば、回折又は屈折多焦点の具体例に於ける反対面に付加してもよい。さらに、伸ばされた焦点深さの特性には、例えば、円環体ＩＯＬ、接眼レンズの球状、及び／又は、色覚異常を修正したＩＯＬ、及び／又は、調整ＩＯＬを追加することができる。一般に、伸ばされた焦点深さの特性には、視覚異常を修正するＩＯＬを追加するようにしてもよい。
【００３２】
読書は、瞳孔が小さくなる明るい状態で行われる。一方、夜間の運転は、瞳孔が大きくなる暗い状態で行われる。本発明の実施形態では、小さな瞳孔サイズのために中間又は近傍の視力を相対的に強調し、大きな瞳孔サイズのために遠方の視力を相対的に強化するレンズが含まれる。そのような眼用レンズでは、より大きな割合の光エネルギーが、夜間の運転等、遠方を見ている状態で、暗さに適したレンズ周辺部から遠方の頂点へと伝達される。すなわち、近傍又は中間の焦点は、例えば、読書やコンピュータ作業のための回折プロファイルの中心部よりも相対的により大きな光エネルギーを受け、例えば、レストランのメニューを見るといった暗い読書環境下で、深い焦点と中間又は近傍の視力とを提供する。
【００３３】
図１Ａは、多焦点ＩＯＬ１１を装着された眼Ｅの断面図である。図示するように、多焦点ＩＯＬ１１は、例えば、２焦点ＩＯＬを備えてもよい。多焦点ＩＯＬ１１は、眼Ｅの前方の角膜１２の少なくとも一部から光りを受け、通常、眼Ｅの光軸の中心に配置されている。参照しやすくするため、図１Ａ及び１Ｂには、角膜表面等、眼の他の部分の屈折特性は図示していない。多焦点ＩＯＬ１１の屈折及び／又は回折特性だけが図示されている。
【００３４】
各レンズ１１の主要面は、前方面と後方面を含み、一般に、例えば、両凸、平凸、平凹、メニスカス等の屈折プロファイルを有する。２つの面は共に、周囲房水、角膜、及び、全ての視覚系の他の視覚要素の特性に関して、眼Ｅによるイメージ性能についてレンズ１１の効果をもたらす。従来、単焦点ＩＯＬは、レンズを形成する材料の屈折率と、レンズの前後の表面の曲率すなわち形状とに基づく屈折倍率を有する。
【００３５】
若くて健康な眼では、被膜房１４の周囲の毛様体筋１７の収縮及び弛緩は、眼の調整、すなわち、物体が近くに移動する際、眼が焦点を維持する光学的能力を増大させるプロセスに寄与する。人の年齢に応じて、調整レベルは低下し、老眼すなわち近くの物体に焦点を合わせる能力の低下がもたらされる。したがって、従来、患者は、多焦点ＩＯＬ１１として提供されるように、２つの光学的能力、一方は近くの視力、もう一方は遠くの視力を有する矯正光学素子を使用している。
【００３６】
また、多焦点レンズは、レンズの屈折特性を特別に利用している。一般に、そのようなレンズは、老眼の影響を緩和するために、レンズの異なる領域に異なる倍率を備える。例えば、図１Ａに示すように、屈折多焦点レンズ１１の視野領域は遠方視認距離を見るのに適した倍率を有する。また、同じ屈折多焦点レンズ１１は、より高い表面曲率と、近距離を見るのに適した（ときどき、正の加算倍率として言及される）一般により高い全体倍率を有する内方領域を備えていてもよい。
【００３７】
多焦点屈折ＩＯＬ又はコンタクトレンズは共に、レンズの屈折特性に完全に依存するというよりも、図１Ｂに示すＩＯＬ１８として図示されるように、回折倍率を有することができる。例えば、回折倍率は、正又は負の付加倍率を備え、付加倍率は、レンズの全ての光学的倍率に十分に貢献する（又は主要ですらある）。回折倍率は、回折プロファイルを形成する多数の同心円の回折領域によって提供される。回折プロファイルは、前面又は背面、あるいは、その両方に設けてもよい。
【００３８】
回折多焦点レンズの回折プロファイルは、多数の回折オーダー（diffraction order）に入射光を方向付ける。光１３が眼の前方から進入すると、多焦点レンズ１８は光１３を方向付けて、遠方の物体を見るための網膜１６の遠距離焦点１５ａと、眼に近い物体を見るための近距離焦点１５ｂとを形成する。光源３からの距離に依存して、網膜１５の焦点は近距離焦点１５ｂであってもよい。一般に、遠距離焦点１５ａは０番目の回線オーダーに関係し、近距離焦点１５ｂは１番目の回折オーダーに関係する。但し、他のオーダーは同様に使用してもよい。
【００３９】
一般に、多焦点眼用レンズ１８は、光エネルギーの殆どを２つの視認オーダーに寄与させ、等しい（５０％：５０％）イメージ光エネルギー、すなわち、一方の視認オーダーは遠方視力に対応し、他方の視認オーダーは近傍視力に対応する光エネルギーを分離する目的を備える。但し、通常、幾らかの端数は非視認オーダーとなる。
【００４０】
幾つかの実施形態では、水晶体をそのままにする場合、矯正視力は患者の治療に使用できるフェイキック（phakic）ＩＯＬによって行われる。フェイキックＩＯＬは、隅角支持、虹彩支持、あるいは、溝支持すればよい。フェイキックＩＯＬでは、水晶体を交換するか、他のＩＯＬを利用することができる。また、本発明は、インレー、アンレー、遠近両用ＩＯＬ、眼鏡、及び、レーザ視力矯正ですら適用可能である。
【００４１】
図２Ａ及び２Ｂは、標準的な回折多焦点レンズ２０の態様を示す。多焦点レンズ２０は、上述の多焦点ＩＯＬ１８とほぼ同じある光学的特徴を有する。多焦点レンズ２０は、光軸２４を中心として配置した、前方レンズ面２１と後方レンズ面２２を有する。一般に、レンズ２０の面２１、２２は開放口（clear aperture）２５を形成されている。ここでは、用語「開放口」は、水晶体又は眼によって映し出され、焦点を合わされた距離からの光束の広がりを制限する水晶体又は眼の開口を意味する。通常、開放口は円形で、その直径によって特定され、眼の直径と等しいことがある。
【００４２】
患者の眼に装着されると、レンズ２０の光軸は、眼Ｅの光軸とほぼ一致する。レンズ２０の曲率は、レンズ２０に前方屈折プロファイルと後方屈折プロファイルとを付与する。屈折プロファイルは、前方面２１及び後方面２２又はその両方に組み付けてもよいが、図２Ｂは回折プロファイルを備えた前方面２２を示している。回折プロファイルは、光軸２４の周囲に配置される、多数の環状視覚ゾーンすなわちエシュレット格子２３に特徴を有する。一般に、分析的光学理論で無限のエシュレット格子を仮定した場合、標準多焦点回折ＩＯＬは少なくとも９つのエシュレット格子を有し、その数は３０を超えてもよい。簡単にするため、図２Ｂは、４つのエシュレット格子のみを示している。一般に、ＩＯＬは、両凸、可能であれば平凸、又は、凹凸であるが、ＩＯＬは平凸又は他の回折面の組み合わせとすることができる。
【００４３】
図３Ａ及び３Ｂは、多焦点レンズの一般的な回折プロファイルの一部のグラフ表示である。そのグラフは３つのエシュレット格子のみを示し、一般的な回折レンズは、少なくとも９から３２以上のエシュレット格子に及んでいる。図３Ａでは、エシュレット格子表面の各位置に於ける表面レリーフプロファイル（光線に垂直な平面から）の高さが、水晶体の光軸からの半径方向距離（ｒ又はｐ）２乗で示されている。多焦点レンズでは、各エシュレット格子２３は、Ｖｎに比例する光軸からの直径又は距離があればよい。ｎは光軸２４から数えられるエシュレット格子２３の数である。各エシュレット格子２３は特殊な光学ゾーン３０と遷移ゾーン３１とを有する。一般に、光学ゾーン３０は、図３Ａに示すように、ｐに対して表示されるとき、直線となる形状すなわち下方に向かう傾斜を有する。ｒに対して表示されるとき、光学ゾーン３０は、図３Ｂに示すように、放射状となる形状すなわち下方に向かう傾斜を有する。ここで図示するように、一般的な回折多焦点レンズでは、全てのエシュレット格子２３は表面積が同じである。エシュレット格子２３の面積はレンズ２０の付加倍率を決定する。そして、面積と半径は相関関係にあるので、付加倍率はエシュレット格子の半径とも関係がある。
【００４４】
図３Ａ及び３Ｂに示すように、隣接するエシュレット格子の遷移ゾーン３１は鋭くて不連続である。レンズ面の高さは、徐々に下方に向かって傾斜した後、垂直上方へと向かうように鋭く遷移し、急に、再度徐々に下方側へと傾斜するように遷移する。そのようにすることで、エシュレット格子２３は、エシュレット格子の最下点と最上点との間の距離によって決定される特徴的なステップ高さ３２をも有する。このため、回折面の傾斜（１回微分）及び／又は曲率（２回微分）は、遷移部に不連続に接近する。
【００４５】
中心エシュレット格子の構造
図４は、典型的な中心エシュレット格子の構造の一部の断面図のグラフ表示である。レンズプロファイル２００は、０．５ラムダ（テーブル２参照）の位相遅れに対応する、１．２１ｍｍのリング直径と２．０５μｍの２２０でのステップ高さとを有する。この例では、リング直径は、米国特許5,121,980 (Cohen)に記載されるようにｈ、スケーリング要因Λ／２によって、１．５ｍｍ（２．０ジオプターの従来のＩＯＬ回折レンズ用内方リングの直径である）から１．２１ｍｍまで削減されている。レンズの半分の内方部及び外方部のみが図示されているが、レンズは回転対称であるため、他の半分は鏡像である。
【００４６】
外方部（図示せず）の隣接エシュレット格子は後述する。プロファイル２００は、内方部２１０すなわち単一リング、段部すなわち遷移部２２０、及び、外方部２３０を備える。外方部２３０は、図４Ｆに図示されるように２．５ｍｍまで延び、有限付加エシュレット格子を構成してもよい。内方部２１０は、プロファイル２００の中心位置２１０と遷移部２２０の間に延びている。外方部２３０は、遷移部２２０と周辺位置（図示せず）の間に延びている。あるケースでは、遷移部２２０は、光軸からの距離が約０．５ｍｍから約２．０ｍｍの範囲内に配置され、周辺位置は光軸からの距離が２．０から３．５ｍｍ、あるいは、それ以上である（例えば、コンタクトレンズ用として、ＩＯＬに比べてコンタクトレンズの光学的により大きなパワーの位置に関してその範囲は約１５％以上である。すなわち、当業者は本願に依存するある寸法を適切に測定する。）。
【００４７】
内方部すなわちエシュレット格子２１０は、中心２１０ａ及び周辺縁２１０ｂを備える。半径がゼロの内方部の中心すなわち中心領域２１０ａでは、内方部の撓み（ＳＡＧ）（ｄ）は、回折底曲線２４０の撓み（ｄ）と、０．２５ラムダ（テーブル２参照）の位相遅れと一致する、周辺曲線２６０から１．０３μｍの周辺曲線２６０の撓み（ｄ）の間である。周辺縁２１０ｂでは、内方部２１０の撓み（ｄ）は、１３．８μｍでの回折底曲線２３０の撓み（ｄ）にほぼ等しい。半径ゼロと、０．６１ｍｍでの周辺縁２１０ｂの半径の間の撓み量（ｄ）は、徐々に、そしてスムーズに１．０３μｍ（ｒ＝０）から、１３．８μｍである底カーブ２４０（ｒ＝０．６１ｍｍ）まで変化する。この変化は放射状となる。図示するように、内方部は、放射形状を表示することができ、例えば、Equation 4a of Cohen, Applied Optics, 31: 19, pp. 3750-3754 (1992)に記載されるように、明細書に援用されている。
【００４８】
半径（４）が０．６１ｍｍである周辺縁２１０ｂでは、撓み量（ｄ）は、回折底曲線２４０から周辺曲線２６０まで変化する。半径（ｒ）が遷移部に対応する場所では、内方部の撓み（ｄ）は回折底曲線２４０の値に等しい。関連して、プロファイルは、半径がゼロから約０．６１ｍｍに増大するに連れて回折底曲線に近付く。ステップ高さは２．０５μｍであり、０．５の位相遅れをもたらす。
【００４９】
外方部２３０は、内方すなわち中心縁２３０ａと周辺縁（図示せず）を備える。内方縁２３０ａでは、外方部の撓み（ｄ）は周辺曲線２６０の撓み（ｄ）にほぼ等しい。周辺縁では、外方部の撓み（ｄ）は、周辺曲線２６０の撓み（ｄ）にほぼ等しい。詳述するように、有限数のエシュレット格子が内方縁２３０ａと周辺縁の間に配置されている。
【００５０】
図４Ａは、本発明の実施形態に係る中心エシュレット格子及び１つの周辺隣接エシュレット格子を備えたレンズの回折プロファイルの一部のグラフ表示である。図４Ａでは、エシュレット格子表面の各地点での（光線に垂直な平面からの）表面レリーフプロファイルの高さは、レンズの光軸からの距離で描かれている。エシュレット格子は、特徴的な光学ゾーンと遷移ゾーン９１３とを有することができる。光学ゾーン９３０は、図４Ａに示すように、ｐに対して図示するとき直線になる形状すなわち下方に向かう傾斜であればよい。中心及び周辺エシュレット格子は、１と７ｍｍ２の間の表面積を有することができる。例えば、エシュレット格子は、２．３ｍｍ２の表面積であればよい。外方（回折）ゾーンは、固定オフセット底半径に続いている。
【００５１】
図４Ａに示すように、光学ゾーン９３０と隣接光学ゾーンの間の遷移部９３１は、鋭くて不連続とすることができる。同様に、隣接エシュレット格子と周辺部すなわち回折ゾーンの間の垂直遷移部も、鋭くて不連続とすることができる。レンズ面の高さは、ゆっくりとして下方側への傾斜（例えば、光学ゾーン９３０との交差）から垂直方向への突出（例えば、遷移ゾーン９３１）へと急激に遷移し、遷移部は、外方回折ゾーンで、徐々に下方側又はほぼ水平方向に急激に後方へと遷移する。そうすることで、エシュレット格子９３０は、エシュレット格子の最下点と最上点の間の距離を制限する特別なステップ高さを有する。このため、傾斜（すなわち１次導関数）及び／又は回折面の曲線（２次導関数）は、遷移部に隣接して不連続である。１次導関数は直線方向によって示すことができ、２次導関数は曲線によって示すことができる。
【００５２】
ある実施形態では、光は下方側の矢印Ａで示す方向から来て、プロファイルのエシュレット格子９３０に衝突する。ある実施形態では、理論上、光は光学ゾーンの垂直連結部に衝突しないため、プロファイルは非遷移ゾーンを有すると言うことができる。ある実施形態では、実際問題として、そのようなプロファイルを生成しようとするとき、例えば、切削することにより、（例えば、光学ゾーンがその隣接部に連結される場所で）尖った角を再生することは困難となるので、その角は、有限の測定可能な半径に対してある程度丸くなる。そのような丸みであれば光学的性能への影響を無視できる。関連する実施形態では、遷移ゾーン９３１は、エシュレット格子から隣接ゾーンまでの遷移部として捉えることができ、光学的性能を最適化する、例えば、鋭い遷移部からの散乱を最小化するために、特別な方法で形成することができる。
【００５３】
プロファイル要素
プロファイルのデザインは、１セットのパラメータの観点から特徴付けることができる。例えば、有限エシュレット格子プロファイルは、直径及び表面積を備えた中心エシュレット格子、同一表面積を備えた隣接エシュレット格子、及び、位相遅れをもたらす各遷移部での関連するステップ高さを有するとしてすることができる。中心エシュレット格子は、約１ｍｍから約５ｍｍの範囲内の直径を有するようにしてもよい。例えば、中心エシュレット格子は、約１．５ｍｍの直径を有してもよい。中心エシュレット格子は、１と７ｍｍ２の間の表面積を有してもよい。例えば、中心エシュレット格子は、２．３ｍｍ２の表面積を有してもよい。特に、テーブル１は、中心及び周辺エシュレット格子の表面積に合わせた、中心エシュレット格子の半径及び直径の寸法を示す。
テーブル１
2013514833.tif 000003
【００５４】
テーブル２は、具体的なＩＯＬ材料に適したものとして、（波長の）位相遅れとステップ高さ（μｍ）の間の関係を示す種々の例を示す。
テーブル２
2013514833.tif 000004
【００５５】
図４Ｂは、本発明の実施形態に係る中心エシュレット格子と２つの周辺エシュレット格子を備えたレンズ回折プロファイルの一部のグラフ表示である。エシュレット格子表面の各始点の（光線に垂直な平面からの）表面レリーフプロファイルの高さは、レンズの好日からの距離で描かれている。ある実施形態によれば、中心及び周辺隣接エシュレット格子を備えたレンズは、図４Ａに示すように、最も外側のエシュレット格子と内側のエシュレット格子の間の回折領域を備えた付加周辺エシュレット格子から構成されてもいる。
【００５６】
また、図４Ｃは、中心エシュレット格子と２つの周辺エシュレット格子を備えたレンズ回折プロファイルの一部を詳述する。しかしながら、この実施形態では、回折ゾーンは、中心エシュレット格子に隣接し、３つの周辺及び隣接エシュレット格子から分離している。
【００５７】
上述の好ましい実施形態は等しいステップ高さを有するエシュレット格子を備えたレンズを開示したが、ステップ高さを変更したエシュレット格子を備えたレンズは、図４Ｄに詳述されている。図４Ｄは、４つのエシュレット格子の実施形態を表示し、回折領域は、中心領域と隣接領域を、３つの周辺隣接エシュレット格子から分離している。図４Ｄに示すように、３つの外方エシュレット格子のステップ高さ（エシュレット格子の最下点と最上点の間の距離によって決定される）は内方エシュレット格子のステップ高さよりも低い。勿論、外方エシュレット格子のステップ高さが内方エシュレット格子のステップ高さよりも低いという実施形態に加えて、内方エシュレット格子のステップ高さは、外方エシュレット格子のステップ高さよりも低い。また、内方及び外方エシュレット格子は、ステップ高さが増大、減少、又は、変化のいずれかであるということが予見できる。
【００５８】
図４Ｅは、中心エシュレット格子と、中心エシュレット格子に隣接しない周辺エシュレット格子とを備えたレンズ回折プロファイルの一部のグラフ表示である。中心エシュレット格子は、放射状である形状すなわち下方への傾斜を有していてもよい。そして、屈曲領域は、中心エシュレット格子を周辺エシュレット格子から分離してもよい。さらに、周辺エシュレット格子は、下方傾斜に続く鋭くて不連続なステップ高さを特徴としてもよい。上述の実施形態では、周辺屈折領域は最外方エシュレット格子を囲んでもよい。また、他の実施形態は、図４Ａ−４Ｄに類似する種々の非隣接エシュレット格子を備えている。屈曲領域によって分離されない２つのエシュレット格子は隣接していなくてもよい。
【００５９】
瞳孔独立
人の動向サイズは照度に応じて変化する。明るい光では瞳孔は小さく、暗くて低い光状態では瞳孔は大きい。また、人の瞳孔サイズは調整努力によって変化する。調整努力なしに、瞳孔は調整努力よりも大きくなる。このため、より小さい瞳孔のために、中間又は近傍視力を相対的に強化するデザインを提供することが望まれている。より大きな瞳孔のために、遠方視力を相対的に強化するデザインを提供することが望まれている。
【００６０】
光が明るい一般の読書又は近傍視力状態では、瞳孔のサイズは小さく、例えば、直径約１ｍｍと２ｍｍの間であり、眼は、（例えば、ピンホール効果から）大きな焦点深さを有し、殆どＩＯＬの眼には関係がない。瞳孔サイズが大きいとき、例えば、直径約４−５ｍｍ以上であるとき、その状態は、通常、低光状態に適合しており、ＩＯＬの倍率が通常の距離視力に関係する。したがって、多くの患者は、中間距離で見るために焦点深さを高めるＩＯＬから最も利益を受ける。有限隣接エシュレット格子を備えた中心エシュレット格子を有するＩＯＬは、中間瞳孔サイズ用の焦点深さであり、小さい瞳孔サイズ用の一般的な大きくなった焦点深さを維持し、大きい瞳孔サイズ用の遠方視力を強調し続ける。
【００６１】
同時に、有限エシュレット格子と、眼の表面積の維持、あるいは、レンズ部（非エシュレット格子）の維持が、殆ど全ての瞳孔サイズ用の不均一な表面積を有するので、焦点の間は不完全に分離している。他焦点レンズに現れる、光が変に見える現象（dysphotopsia、例えば、光輪）は、２つの焦点の分離と瞳孔サイズの効果に支配されていることが分かる。また、本発明の実施形態によれば、レンズは、有限のエシュレット格子のみを備える。この結果、標準の回折多焦点ＩＯＬと比べて、分離した焦点間の光の分離は完全ではない。光の分離が不完全であるので、焦点の分離は不完全である。焦点の不完全な分離は、伸長された焦点深さと、光が変に見える現象（dysphotopsia、例えば、光輪）の希釈化とに貢献する。
【００６２】
実施形態では、有限エシュレット格子デザインは、瞳孔サイズに依存する光学性能を有する。非常に小さい瞳孔サイズのために、瞳孔が中心及び隣接エシュレット格子よりも小さい場合、エシュレット格子は、ピンホール効果のために非常に大きな焦点深さを有する屈折レンズとして機能する。中間及びより大きな瞳孔サイズのため、瞳孔が中心エシュレット格子と隣接エシュレット格子とを覆う場合、レンズは、光を複数の焦点に方向付ける回折／屈曲レンズとして機能する。より大きな瞳孔サイズのために、より多くの光がより低い次元の焦点に方向付けられる。中心及び隣接エシュレット格子のサイズは、レンズの瞳孔独立に影響する。これにより、中心及び隣接エシュレット格子のサイズが、特別な患者の瞳孔サイズに依存して選択される。例えば、患者の瞳孔サイズは、明るい光、暗い光、遠方視力、近傍視力、光レベルと調整努力の異なる組み合わせで寸法を決定するようにしてもよい。これらの異なる瞳孔サイズは、瞳孔力学で決めてもよく、有限エシュレット格子デザインの眼のデザインのための入力パラメータとして使用することができる。
【００６３】
例えば、患者が近傍視力（例えば、近距離で高い調整努力を払って目的物を見る場合）での２ｍｍ以下の瞳孔直径であり、明るい光及び暗い光の両方での瞳孔寸法を有していれば、中心及び隣接エシュレット格子のサイズは、適切な近傍及び中間視力を得るために、２ｍｍ以下（例えば、図４Ａの隣接エシュレット格子の外径）となりように選択すればよい。関連して、患者が２ｍｍ以上の近傍視力での瞳孔直径であり、明るい光と暗い光の両方での瞳孔寸法を有していれば、中心及び隣接エシュレット格子のサイズは、適切な近傍及び中間視力を得るために２ｍｍ以上であるのがよい。一般に、中心及び隣接エシュレット格子の直径は、患者がいかなる状況（例えば、明るい／暗い光、近傍／遠方視力）であっても最も小さい瞳孔サイズよりも小さくすることができる。どのような種類の瞳孔の動きであっても、サイズ、プロファイル、及び、オフセットは、特別な患者、あるいは、患者のグループにとってレンズ性能を最大化するように選択すればよい。一般に、これは、患者の動向が測定される、異なる視力環境（光レベルや調整努力の組み合わせ）の間のトレードオフである。また、実施形態は、瞳孔サイズの測定結果を利用することからなり、レンズの表面に設ける独立したエシュレット格子のサイズを決定する測定方法に基づく眼用レンズをデザインする方法を含む。瞳孔サイズの測定方法は、患者のグループに基づいていてもよい。
【００６４】
特別な例の変形例の評価
図５及び６は、１．４８ｍｍの中心リング直径、１．７ｍｍのエシュレット格子の表面積、及び、０．４波長の位相遅延を備えた実施形態のＡＣＥ眼モデルでの計算された非焦点曲線を示す。横軸は、イメージ平面での非焦点値をｍｍ単位で示す。負の非焦点値は近眼を示し、中間及び近傍距離での視力をシミュレートしている。縦軸は、１ｍｍ毎に５０サイクルの係数を示す。瞳孔直径５ｍｍのデータが含まれる。図５は、単一中心エシュレット格子のみを有する実施形態のための非焦点曲線を示す。図６は、中心エシュレット格子に加えて、周辺エシュレット格子を有する領域４Ｅで表示される実施形態を示す。周辺エシュレット格子は、３．５ｍｍ２の表面積と、０．８２波長の位相遅れとを有する。約−０．２ｍｍから−０．３ｍｍのａ非焦点値を備えた中間視力距離でのＭＴＦは、図６に示すように、図５の対応する非焦点値でのＭＴＦよりも大きい。図示するように、中心の正の周辺エシュレット格子は、中心エシュレット格子のみに比べて焦点深さを増大させる。
【００６５】
本発明の実施形態は、多焦点レンズの各焦点深さを伸長するとう多焦点レンズのデザインを組み合わせてもよい。同様に、本発明の実施形態は、調整レンズの調整範囲が伸長できるように、調整レンズのデザインを組み合わせてもよい。さらに、本発明の実施形態は、円環体レンズ、非球面レンズ、色彩以上を矯正するレンズ等を組み合わせてもよい。
【００６６】
本発明の実施形態は、色彩以上を矯正するレンズデザインと組み合わせてもよい。一実施形態では、前述の例でのエシュレット格子の位相遅れは、機器債以上を矯正するために、不連続の複数波長によって増大する。例えば、２．０５μｍのステップ高さに対応する、０．５の位相遅れが使用されるならば、代替実施形態は、６．１５μｍのステップ高さに対応する、１．５の位相遅れを有するようにしてもよい。この実施形態は、遠方視力に１次回折を方向付け、２次回折は中間及び近傍範囲での焦点深さを確立する。
【００６７】
実施形態はある程度詳細に記載したが、例として、理解を明瞭にするため、当業者が、種々の改良、調整、及び、変更が行えることが分かる。したがって、本発明の範囲は、明細書に記載された好ましい実施形態の説明には限定すべきではない。
【符号の説明】
【００６８】
１１…多焦点ＩＯＬ
１２…角膜
１３…光
１４…被膜房
１５ａ…遠距離焦点
１５ａ…近距離焦点
１６…網膜
１７…毛様体筋
【図１Ａ】
2013514833.tif 000005
【図１Ｂ】
2013514833.tif 000006
【図２Ａ】
2013514833.tif 000007
【図２Ｂ】
2013514833.tif 000008
【図３Ａ】
2013514833.tif 000009
【図３Ｂ】
2013514833.tif 000010
【図４】
2013514833.tif 000011
【図４Ａ】
2013514833.tif 000012
【図４Ｂ】
2013514833.tif 000013
【図４Ｃ】
2013514833.tif 000014
【図４Ｄ】
2013514833.tif 000015
【図４Ｅ】
2013514833.tif 000016
【図５】
2013514833.tif 000017
【図６】
2013514833.tif 000018
【国際調査報告】
2013514833.tif 000019
2013514833.tif 000020
2013514833.tif 000021